(57)【要約】【課題】患部への食い込みが少なく、装着性の良い電気治療器の導子を提供すること。【解決手段】患部に吸着させる吸引カップの内部に電極を収容した電気治療器の導子において、吸引カップは、電極を収容するための電極収容部と、同電極収容部の下端に連設した患部に被着させるための被着部とを有し、前記電極収容部の内周を筒状に形成するとともに、前記被着部の内周を下端に向けて漸次拡開状に形成した。【選択図】    図３
2004283336.tif 000002
【特許請求の範囲】
【請求項１】
患部に吸着させる吸引カップの内部に電極を収容した電気治療器の導子において、
吸引カップは、電極を収容するための電極収容部の下端に患部に被着させるための被着部を形成すると共に、同被着部の内周を下端に向けて漸次拡開状に形成したことを特徴とする電気治療器の導子。
【請求項２】
前記吸引カップは、電極収容部と被着部との連設部分の厚みをその他の部分の厚みよりも厚く形成したことを特徴とする請求項１に記載の電気治療器の導子。
【請求項３】
前記吸引カップは、電極収容部と被着部との連設部分の厚みを被着部の厚みよりも薄く形成したことを特徴とする請求項１に記載の電気治療器の導子。
【請求項４】
前記吸引カップは、電極収容部と被着部との連設部分の厚みをその他の部分の厚みよりも薄く形成したことを特徴とする請求項１に記載の電気治療器の導子。
【請求項５】
前記吸引カップは、被着部の内周を下端に向けて拡開度合が漸次大きくなるように形成したことを特徴とする請求項１〜４のいずれかに記載の電気治療器の導子。
【請求項６】
前記吸引カップは、被着部の内周を下端に向けて拡開度合が漸次小さくなるように形成したことを特徴とする請求項１〜４のいずれかに記載の電気治療器の導子。
【請求項７】
請求項１〜請求項６のいずれかに記載の導子を有する電気治療器。
【発明の詳細な説明】
【０００１】
【発明の属する技術分野】
本発明は、電気治療器の導子、及び同導子を有する電気治療器に関するものである。
【０００２】
【従来の技術】
従来、低周波治療器のような電気治療器においては、発振器より発した電磁波を導子により患部に伝導するようになっており、同導子は吸引によって患部に取り付けていた。
【０００３】
すなわち、上記電気治療器において、導子は、電磁波を患部に伝導する電極と、同電極と患部との間に介在して、電極の患部への接触を緩衝する電極パットとを略椀状に形成した吸引カップの内側に内蔵した構成となっており、前記吸引カップの内側を負圧状態にすることによって患部に取り付けていた。
【０００４】
上記吸引カップを有する電気治療器の導子は、電極や電極パッドを収容すべく吸引カップが椀状に形成されていたため、吸着時には吸引カップの端縁部が皮膚に食い込んで、皮膚が鬱血するという不具合があった。そのため、吸引カップの端縁部を円弧状に形成することにより食い込みを緩和し、不具合を解消するようにした導子も用いられていた（例えば、特許文献１参照。）。
【０００５】
しかし、上述の如く単に吸引カップの端縁部の形状を変えただけでは、吸引カップの皮膚への当たりが緩和されるだけで、食い込み自体を解消することはできなかった。
【０００６】
また、吸引カップが拡開状に形成されていて、吸着時には吸引カップの端縁部が皮膚に沿うように構成された導子も用いられていた（例えば、特許文献２参照。）。
【０００７】
【特許文献１】
実公平２−５５９６６号公報
【０００８】
【特許文献２】
特開２００２−１４３３２１号公報
【０００９】
【発明が解決しようとする課題】
しかし、上述の如く単に吸引カップを拡開状に形成しただけでは、結局、皮膚に接触するのは吸引カップの端縁部のみになってしまい、吸引カップの端縁部が皮膚に食い込んで、皮膚が鬱血するという不具合は解消されなかった。
【００１０】
しかも、吸引カップを拡開状に形成することにより、吸引カップの内部空間が小さくなってしまい、同内部空間に収容可能な大きさに電極や電極パッドの大きさが制限されるおそれがあった。そして、確実に内部空間を確保しようとすれば、吸引カップの径を大きくしたり、高さを出したりする必要が生じ、吸引カップが大きくなってしまうおそれがあった。
【００１１】
【課題を解決するための手段】
そこで、請求項１記載の本発明では、患部に吸着させる吸引カップの内部に電極を収容した電気治療器の導子において、吸引カップは、電極を収容するための電極収容部の下端に患部に被着させるための被着部を形成すると共に、同被着部の内周を下端に向けて漸次拡開状に形成した。
【００１２】
また、請求項２記載の本発明では、前記吸引カップは、電極収容部と被着部との連設部分の厚みをその他の部分の厚みよりも厚く形成した。
【００１３】
また、請求項３記載の本発明では、前記吸引カップは、電極収容部と被着部との連設部分の厚みを被着部の厚みよりも薄く形成した。
【００１４】
また、請求項４記載の本発明では、前記吸引カップは、電極収容部と被着部との連設部分の厚みをその他の部分の厚みよりも薄く形成した。
【００１５】
また、請求項５記載の本発明では、前記吸引カップは、被着部の内周を下端に向けて拡開度合が漸次大きくなるように形成した。
【００１６】
また、請求項６記載の本発明では、前記吸引カップは、被着部の内周を下端に向けて拡開度合が漸次小さくなるように形成した。
【００１７】
また、請求項７記載の本発明では、請求項１〜請求項６のいずれかに記載の導子を有する電気治療器を設けることにした。
【００１８】
【発明の実施の形態】
本発明に係る電気治療器の導子は、患部に吸着させる吸引カップの内部に電極を収容しており、前記吸引カップが、電極を収容するための電極収容部と、同電極収容部の下端に連設した患部に被着させるための被着部とを有している。
【００１９】
特に、被着部は、内周を下端に向けて漸次拡開状に形成しており、このように、被着部の内周を下端に向けて漸次拡開状に形成しているので、患部への吸着時には、被着部の内周面を皮膚に当接させて、皮膚と吸引カップの接触面積を広くすることができ、吸引カップが皮膚に食い込むのを防止することができる。そのため、導子の装着性を向上させることができる。
【００２０】
これに対し、電極収容部は、内周を筒状に形成するのが望ましく、かかる形状とすることにより、電極を収容するための空間を確保して電極を確実に収容できると共に、電極を収容可能な最低限の大きさに電極収容部を形成して、導子全体をコンパクトに形成することができる。
【００２１】
なお、前記電極収容部には、電極のみならず、同電極の皮膚への接触を緩衝する電極パッドを収容することもできる。
【００２２】
上記吸引カップは、部位ごとに厚みを変えることによって装着性や機能性をさらに向上させることができ、例えば、以下に述べるような形状が考えられる。
【００２３】
１番目は、電極収容部と被着部との連設部分の厚みをその他の部分の厚みよりも厚く形成した吸引カップである。
【００２４】
かかる形状とすれば、吸着により変形しやすい被着部を前記連設部分を中心として強固に支持して、吸着時における被着部の変形を抑制することができる。従って、被着部の変形に伴って同被着部の内側全面に患部の皮膚が押し付けられ、電極収容部内の電極や電極パッドが必要以上に患部に押し付けられて、電極や電極パッドが患部の皮膚に食い込むのを防止することができ、導子の装着性を向上させることができる。
【００２５】
しかも、被着部の変形によって大きな負荷がかかり、損傷しやすい連接部分の強度を高めることができるので、吸引カップの耐久性を向上させることができる。
【００２６】
２番目は、電極収容部と被着部との連設部分の厚みを被着部の厚みよりも薄く形成した吸引カップである。
【００２７】
かかる形状とすれば、導子を取り付けるべく吸引カップを患部に押し付けた際には、連設部分を基点として被着部に圧力を加えることができ、被着部を効果的に患部に押し付けることができる。従って、導子を確実に患部に取り付けることができる。
【００２８】
しかも、吸着時に変形しやすい被着部は、前記連設部分よりも厚く形成されることとなるので、吸着時における被着部の変形を抑制することができる。そのため、被着部の変形に伴って同被着部の内側全面に患部の皮膚が押し付けられ、電極収容部内の電極や電極パッドが必要以上に患部に押し付けられて、電極や電極パッドが患部の皮膚に食い込むのを防止することができ、導子の装着性を向上させることができる。
【００２９】
３番目は、電極収容部と被着部との連設部分の厚みをその他の部分の厚みよりも薄く形成した吸引カップである。
【００３０】
かかる形状とすれば、導子を取り付けるべく吸引カップを患部に押し付けた際には、吸引カップは、前記連設部分を基点として外側に広がる方向に変形することとなり、その後、吸引カップにかけていた押圧力を開放した際には、元の形状へ復帰しながらその内部を負圧状態にすることとなる。このように、連設部分の厚みを薄くすれば、導子の取付時に被着部を患部に押し付けることができるので、導子を確実に患部に取り付けることができる。
【００３１】
しかも、吸着時に変形しやすい被着部は、前記連設部分よりも厚く形成されることとなるので、吸着時における被着部の変形を抑制することができる。そのため、被着部の変形に伴って同被着部の内側全面に患部の皮膚が押し付けられ、電極収容部内の電極や電極パッドが必要以上に患部に押し付けられて、電極や電極パッドが患部の皮膚に食い込むのを防止することができ、導子の装着性を向上させることができる。
【００３２】
また、上記吸引カップは、部位ごとに被着部の内周の拡開の度合を変えることによっても装着性や機能性を向上させることができる。
【００３３】
例えば、被着部の内周を下端に向けて拡開度合が漸次大きくなるように形成した場合には、皮膚表面に沿って被着部を当接させることができ、皮膚表面と被着部との接触状態を良くして、導子の装着性を向上させることができる。
【００３４】
逆に、被着部の内周を下端に向けて拡開度合が漸次小さくなるように形成した場合には、吸着時に被着部がめくれるのを防止することができ、吸引カップの内側を確実に負圧状態にすることができる。そのため、導子を確実に患部に取り付けることができる。
【００３５】
上述した構成からなる導子を電子治療器に用いれば、治療のため導子を患部に装着する際に、患者に不快感を抱かせることがない。従って、上記導子を用いた電子治療器であれば、患者に対して円滑な治療を行うことができる。
【００３６】
【実施例】
以下、本発明に係る導子を用いた電気治療器の一実施例を図面に基づき説明する。
【００３７】
図１に示すように、本実施例では電気治療器を低周波治療器Ａとしており、同低周波治療器Ａは、患部治療用の低周波電磁波を発生する低周波発振器１と、同低周波発振器１に接続コード２を介して連設した低周波治療器用導子３（以下、導子３という）とを備えている。そして、図２に示すように、前記導子３を患部の皮膚Ｓ表面に吸着させることによって、前記低周波発振器１が発生した低周波電磁波を患部に伝導する。
【００３８】
図３には上記導子３の一部断面視による正面図を示しており、図示するように、導子３は、略矩形箱状の電極ケース４と、同電極ケース４の終端に一体的に連設した先端開口の吸引カップＢとを備えており、電極ケース４から吸引カップＢにかけて電極５を収容すると共に、吸引カップＢに電極パッド６を収容している。
【００３９】
電極５は、矩形箱状の電極本体５ａの下部に円板状の電極板５ｂを形成して、同電極板５ｂの下面を電極面５ｃとしており、同電極面５ｃから患部に向けて低周波電磁波を放射するようにしている。
【００４０】
前記電極本体５ａには、電極ケース４に挿通させたニップル７の一端を螺着させており、かかる構成により、電極本体５ａを電極ケース４内に保持すると共に、同電極本体５ａに連設する電極板５ｂを吸引カップＢに保持している。
【００４１】
また、前記ニップル７の他端には接続コード２を連結しており、電極５と低周波発振器１とを電気的に接続している。
【００４２】
電極パッド６は、吸水性を有する円柱状のスポンジからなり、図３及び図４に示すように、吸引カップＢの内周ａに複数突設したパッド保持片８により吸引カップＢ内に保持して、吸引カップＢの下端開口から落下しないようにしている。
【００４３】
上述した構成からなる導子３において、本発明で特徴的なのは吸引カップＢの形状であり、以下、吸引カップＢについてさらに詳説する。
【００４４】
（第１実施例）
図３〜図５には第１実施例としての吸引カップＢ１を示しており、同吸引カップＢ１は、前記電極ケース４に連設した電極５を収容するための電極収容部９と、同電極収容部９の下端に連設した患部に被着させるための被着部１０とからなる。
【００４５】
前記電極収容部９は、内周ａを筒状に形成しており、前記被着部１０は、内周ａを下端に向けて漸次拡開状に形成している。特に、被着部１０の内周ａは、下端に向けて拡開度合が漸次大きくなるように形成しており、下端に向かうほど吸引カップＢ１を被着させる皮膚Ｓ表面に対する傾斜角度が小さくなり、外側に反った形状となるようにしている。
【００４６】
また、本実施例では、吸引カップＢ１の厚みが略均一であり、上述の如く吸引カップＢを形成することにより、電極収容部９及び被着部１０の外周ｂの形状も、上述した内周ａの形状と同様の形状に形成される。すなわち、電極収容部９の外周ｂは、筒状に形成され、被着部１０の外周ｂは、下端に向けて漸次拡開状に形成される。
【００４７】
そして、電極収容部９と被着部１０との連設部分１１の内周ａに前述した電極パッド６の落下を防ぐパッド保持片８を突設して、電極パッド６を電極収容部９に収容保持するようにしている。
【００４８】
このように、本実施例では、電極収容部９の内周ａを筒状に形成するとともに、前記被着部１０の内周ａを下端に向けて漸次拡開状に形成したので、内周ａを筒状に形成した電極収容部９に電極５を確実に収容することができ、導子３全体をコンパクトに形成することができる。しかも、図５に示すように、吸着時には拡開状に形成した被着部１０が皮膚Ｓに当接することとなるので、皮膚Ｓと吸引カップＢ１の接触面積を広くすることができ、吸引カップＢ１が皮膚Ｓに食い込むのを防止することができる。そのため、導子３の装着性を向上させることができる。
【００４９】
特に、前記吸引カップＢ１は、被着部１０の内周ａを下端に向けて拡開度合が漸次大きくなるように形成したので、皮膚Ｓ表面に沿って被着部１０を当接させることができ、皮膚Ｓ表面と被着部１０との接触状態を良くして、導子３の装着性を向上させることができる。
【００５０】
（第２実施例）
図６には第２実施例としての吸引カップＢ２を示しており、同吸引カップＢ２は、第１実施例の吸引カップＢ１と同様、電極収容部９の内周ａを筒状に形成し、被着部１０の内周ａを下端に向けて漸次拡開度合が大きくなるように拡開状に形成する一方で、電極収容部９と被着部１０との連設部分１１の厚みをその他の部分の厚みよりも厚く形成している。
【００５１】
すなわち、本実施例では、吸引カップＢ２の外周ｂを電極収容部９から被着部１０にかけて連続して傾斜させており、かかる形状とすることにより、電極収容部９及び被着部１０から両者の連設部分１１に向かって吸引カップＢ２の厚みが次第に増し、連設部分１１の厚みがその他の部分の厚みよりも厚くなるようにしている。
【００５２】
また、本実施例においても、電極収容部９と被着部１０との連設部分１１の内周ａには電極パッド６を電極収容部９に収容保持するためのパッド保持片８を突設している。
【００５３】
このように、本実施例では、電極収容部９と被着部１０との連設部分１１の厚みがその他の部分の厚みよりも厚くなるように吸引カップＢ２を形成したので、吸着により変形しやすい被着部１０を前記連設部分１１を中心として強固に支持して、吸着時における被着部１０の変形を抑制することができる。従って、被着部１０の変形に伴って同被着部１０の内側全面に患部の皮膚Ｓが押し付けられ、電極収容部９内の電極５や電極パッド６が必要以上に患部に押し付けられて、電極５や電極パッド６が患部の皮膚Ｓに食い込むのを防止することができ、導子３の装着性を向上させることができる。
【００５４】
しかも、被着部１０の変形によって大きな負荷がかかり、損傷しやすい連接部分１１の強度を高めることができるので、吸引カップＢ２の耐久性を向上させることができる。
【００５５】
（第３実施例）
図７には第３実施例としての吸引カップＢ３を示しており、同吸引カップＢ３は、第１実施例の吸引カップＢ１と同様、電極収容部９の内周ａを筒状に形成し、被着部１０の内周ａを下端に向けて漸次拡開度合が大きくなるように拡開状に形成する一方で、電極収容部９と被着部１０との連設部分１１の厚みをその他の部分の厚みよりも薄く形成している。
【００５６】
すなわち、本実施例では、吸引カップＢ３の外周ｂを電極収容部９から被着部１０にかけて連続して傾斜させると共に、前記電極収容部９と前記被着部１０との連設部分１１に凹部１２を形成することにより、被着部１０から連設部分１１に向かって吸引カップＢ３の厚みが次第に厚くなると共に、連設部分１１においては、前記凹部１２によって吸引カップＢ３の厚みがその他の部分の厚みよりも薄くなるようにしている。
【００５７】
また、本実施例においても、電極収容部９と被着部１０との連設部分１１の内周ａには電極パッド６を電極収容部９に収容保持するためのパッド保持片８を突設している。
【００５８】
このように、本実施例では、電極収容部９と被着部１０との連設部分１１の厚みがその他の部分の厚みよりも薄くなるように吸引カップＢ３を形成しているので、導子３を取り付けるべく吸引カップＢ３を患部に押し付けた際には、吸引カップＢ３は前記連設部分１１を基点として外側に広がる方向に変形することとなり、患部に被着部１０を押し付けることができる。
【００５９】
特に、連設部分１１の厚みが被着部１０の厚みよりも薄いので、導子３を取り付けるべく吸引カップＢ３を患部に押し付けた際には、前記連設部分１１を基点として被着部１０に圧力が加わることとなり、被着部１０を効果的に患部に押し付けることができる。従って、導子３を確実に患部に取り付けることができる。
【００６０】
しかも、吸着時に変形しやすい被着部１０は、前記連設部分１１よりも厚く形成されることとなるので、吸着時における被着部１０の変形を抑制することができる。そのため、被着部１０の変形に伴って同被着部１０の内側全面に患部の皮膚Ｓが押し付けられ、電極収容部９内の電極５や電極パッド６が必要以上に患部に押し付けられて、電極５や電極パッド６が患部の皮膚Ｓに食い込むのを防止することができ、導子３の装着性を向上させることができる。
【００６１】
（第４実施例）
図８には第４実施例としての吸引カップＢ４を示しており、同吸引カップＢ４は、第１実施例の吸引カップＢ１と同様、電極収容部９の内周ａを筒状に形成し、被着部１０の内周ａを下端に向けて漸次拡開度合が大きくなるように拡開状に形成する一方で、電極収容部９と被着部１０との連設部分１１の厚みをその他の部分の厚みよりも薄く形成している。
【００６２】
すなわち、本実施例では、吸引カップＢ４の外周ｂにおいて、電極収容部９と被着部１０との連設部分１１に凹部１２を形成すると共に、同凹部１２に隣接する被着部１０に凸部１３を形成することにより、電極収容部９と被着部１０との連設部分１１の厚みが被着部１０の厚みよりも薄くなるようにしている。
【００６３】
また、本実施例においても、電極収容部９と被着部１０との連設部分１１の内周ａには電極パッド６を電極収容部９に収容保持するためのパッド保持片８を突設している。
【００６４】
このように、本実施例では、電極収容部９と被着部１０との連設部分１１の厚みがその他の部分の厚みよりも薄くなるように吸引カップＢ４を形成したので、導子３を取り付けるべく吸引カップＢ４を患部に押し付けた際には、吸引カップＢ４は前記連設部分１１を基点として外側に広がる方向に変形することとなり、患部に被着部１０を押し付けることができる。
【００６５】
特に、連設部分１１の厚みが被着部１０の厚みよりも薄いので、導子３を取り付けるべく吸引カップＢ４を患部に押し付けた際には、前記連設部分１１を基点として被着部１０に圧力が加わることとなり、被着部１０を効果的に患部に押し付けることができる。従って、導子３を確実に患部に取り付けることができる。
【００６６】
しかも、吸着時に変形しやすい被着部１０は、前記凸部１３によって連設部分１１よりも厚く形成されることとなるので、吸着時における被着部１０の変形を一層抑制することができる。そのため、被着部１０の変形に伴って同被着部１０の内側全面に患部の皮膚Ｓが押し付けられ、電極収容部９内の電極５や電極パッド６が必要以上に患部に押し付けられて、電極５や電極パッド６が患部の皮膚Ｓに食い込むのを防止することができ、導子３の装着性を向上させることができる。
【００６７】
（第５実施例）
図９には第５実施例としての吸引カップＢ５を示しており、同吸引カップＢ５は、第１実施例の吸引カップＢ１と同様、電極収容部９の内周ａを筒状に形成し、被着部１０の内周ａを下端に向けて漸次拡開状に形成する一方で、被着部１０の内周ａの拡開度合が、下端に向けて漸次小さくなるように形成している。
【００６８】
すなわち、本実施例では、吸引カップＢ１を被着させる皮膚Ｓ表面に対する被着部１０の傾斜角度が、被着部１０の下端に向かうほど大きくなり、被着部１０が内側から外側に向かって湾曲した形状となるようにしている。
【００６９】
また、本実施例では、吸引カップＢ５の厚みが略均一であり、上述の如く吸引カップＢ５を形成することにより、電極収容部９及び被着部１０の外周ｂの形状も、上述した内周ａの形状と同様の形状に形成される。すなわち、電極収容部９の外周ｂは、筒状に形成され、被着部１０の外周ｂは、下端に向けて拡開度合が漸次小さくなるように拡開状に形成される。その結果、本実施例における吸引カップＢ５は、電極収容部９の下端に被着部１０が段状に連設された形状となる。
【００７０】
また、本実施例においても、電極収容部９と被着部１０との連設部分１１の内周ａには電極パッド６を電極収容部９に収容保持するためのパッド保持片８を突設している。
【００７１】
このように、本実施例では、被着部１０の内周ａの拡開度合が下端に向けて漸次小さくなるように吸引カップＢ５を形成したので、吸着時に被着部１０がめくれるのを防止することができ、吸引カップＢ５の内側を確実に負圧状態にすることができる。そのため、導子３を確実に患部に取り付けることができる。
【００７２】
上述してきたように、本実施例における低周波治療器Ａでは、装着性の良い形状に形成した吸引カップＢを導子３に用いているので、本低周波治療器Ａで低周波治療を行う際には、患者に不快感を抱かせることがなく導子３を患部に装着することができ、患者に対して快適で円滑な治療を行うことができる。
【００７３】
【発明の効果】
本発明は上記のような形態で実施されるもので、以下の効果を奏する。
（１）請求項１記載の本発明では、患部に吸着させる吸引カップの内部に電極を収容した電気治療器の導子において、吸引カップは、電極を収容するための電極収容部の下端に患部に被着させるための被着部を形成すると共に、同被着部の内周を下端に向けて漸次拡開状に形成したので、吸着時には拡開状に形成した被着部が皮膚に当接することとなり、皮膚と吸引カップの接触面積を広くすることができ、吸引カップが皮膚に食い込むのを防止することができる。そのため、導子の装着性を向上させることができる。
（２）請求項２記載の本発明では、前記吸引カップは、電極収容部と被着部との連設部分の厚みをその他の部分の厚みよりも厚く形成したので、吸着により変形しやすい被着部を前記連設部分を中心として強固に支持して、吸着時における被着部の変形を抑制することができる。従って、被着部の変形に伴って吸引カップの内側に患部の皮膚が押し付けられて、装着性が悪くなるのを防止することができる。しかも、被着部の変形によって大きな負荷がかかり、損傷しやすい連接部分の強度を高めることができるので、吸引カップの耐久性を向上させることができる。
（３）請求項３記載の本発明では、前記吸引カップは、電極収容部と被着部との連設部分の厚みを被着部の厚みよりも薄く形成したので、導子を取り付けるべく吸引カップを患部に押し付けた際には、連設部分を基点として被着部に圧力を加えることができ、被着部を効果的に患部に押し付けることができる。従って、導子を確実に患部に取り付けることができる。しかも、吸着時に変形しやすい被着部は、前記連設部分よりも厚く形成しているので、吸着時における被着部の変形を抑制することができる。そのため、被着部の変形に伴って吸引カップの内側に患部の皮膚が押し付けられて、装着性が悪くなるのを防止することができる。
（４）請求項４記載の本発明では、前記吸引カップは、電極収容部と被着部との連設部分の厚みをその他の部分の厚みよりも薄く形成したので、導子を取り付けるべく吸引カップを患部に押し付けた際には、吸引カップは前記連設部分を基点として外側に広がる方向に変形することとなり、患部に被着部を押し付けることができる。従って、導子を確実に患部に取り付けることができる。しかも、吸着時に変形しやすい被着部は、前記連設部分よりも厚く形成しているので、吸着時における被着部の変形を抑制することができる。そのため、被着部の変形に伴って吸引カップの内側に患部の皮膚が押し付けられて、装着性が悪くなるのを防止することができる。
（５）請求項５記載の本発明では、前記吸引カップは、被着部の内周を下端に向けて拡開度合が漸次大きくなるように形成したので、皮膚表面に沿って被着部を当接させることができ、皮膚表面と被着部との接触状態を良くして、導子の装着性を向上させることができる。
（６）請求項６記載の本発明では、前記吸引カップは、被着部の内周を下端に向けて拡開度合が漸次小さくなるように形成したので、吸着時に被着部がめくれるのを防止することができ、吸引カップの内側を確実に負圧状態にすることができる。そのため、導子を確実に患部に取り付けることができる。
（７）請求項７記載の本発明では、請求項１〜請求項６のいずれかに記載の導子を有する電気治療器を設けることにしたので、導子を患部に装着した際に患者に不快感を抱かせることがなく、電気治療器の使用感を向上させることができる。
【図面の簡単な説明】
【図１】本発明に係る電気治療器の一実施例の説明図である。
【図２】本発明に係る導子の使用状態を示す斜視による説明図である。
【図３】同導子の一部断面視による正面図である。
【図４】同導子の底面図である。
【図５】同導子の使用状態を示す一部断面視による説明図である。
【図６】他実施例としての吸引カップを示す一部断面視による正面図である。
【図７】他実施例としての吸引カップを示す一部断面視による正面図である。
【図８】他実施例としての吸引カップを示す一部断面視による正面図である。
【図９】他実施例としての吸引カップを示す一部断面視による正面図である。
【符号の説明】
Ａ  低周波治療器
Ｂ  吸引カップ
Ｂｌ  吸引カップ
Ｂ２  吸引カップ
Ｂ３  吸引カップ
Ｂ４  吸引カップ
Ｂ５  吸引カップ
ａ  内周
ｂ  外周
Ｓ  皮膚
１  低周波発振器
２  接続コード
３  低周波治療器用導子
４  電極ケース
５  電極
５ａ  電極本体
５ｂ  電極板
５ｃ  電極面
６  電極パッド
７  ニップル
８  パッド保持片
９  電極収容部
１０  被着部
１１  連設部分
１２  凹部
１３  凸部
【図１】
2004283336.tif 000003
【図２】
2004283336.tif 000004
【図３】
2004283336.tif 000005
【図４】
2004283336.tif 000006
【図５】
2004283336.tif 000007
【図６】
2004283336.tif 000008
【図７】
2004283336.tif 000009
【図８】
2004283336.tif 000010
【図９】
2004283336.tif 000011